(57)【特許請求の範囲】
【請求項１】
複数本の杆体を並列し、該杆体の一方の端部を中折れ状に伸縮する伸縮性を有する連結部材で連結し、該杆体の他方の端部を非伸縮性の連結部材で連結し、杆体間隔を変更可能にしたことを特徴とする溝蓋。
【請求項２】
前記連結部材を板状に形成し、該連結部材を、前記杆体の上部両側に設けた張出部下面に接合したことを特徴とする請求項１記載の溝蓋。
【請求項３】
前記杆体両側の連結部材間に、前記杆体両側面から下面を取り巻く接地座を連設し、前記連結部材と前記接地座を弾性を有する軟質合成樹脂で一体成形したことを特徴とする請求項１又は２記載の溝蓋。
【請求項４】
前記杆体下面と前記接地座に凹凸条を設け、該凹凸条を前記杆体に掛かる外圧で圧接嵌合させて前記杆体の動きを規制することを特徴とする請求項３記載の溝蓋。
【発明の詳細な説明】
【０００１】
【発明の属する技術分野】
本発明は、溝蓋に関するものであり、特に、カーブする排水溝に被すのに好適する溝蓋に関するものである。
【０００２】
【従来の技術】
例えば、プールサイドに設けた排水溝の溝蓋として、従来より、硬質合成樹脂で成形された角形断面をなす複数本の杆体を、所定の間隔を採って並列に連結部材で連結した合成樹脂製の溝蓋が実用されている。
【０００３】
この種の溝蓋の一例として、筒状部両側に対向的にＴ型係合部を突設した連結部材を、弾性を有する軟質合成樹脂で成形し、この連結部材のＴ型係合部を、硬質合成樹脂製の杆体両側面部に設けた係合溝に係合して隣り合う杆体を連結した構成のものがある。この場合の連結部材は、杆体に比べて短尺なものが用いられ、連結部材は各杆体の中間部に配装してあって、溝蓋をカーブする溝に被す時に、杆体の一方の端部で杆体間隔を狭めるように圧力を掛けると、連結部材の筒状部が変形して圧力を掛けた側で杆体間隔が狭まり、反対側では杆体間隔が広がって溝のカーブに対応するものである。（従来技術１）
また、溝蓋の別の例として、硬質合成樹脂で成形した連結部材を、同じく硬質合成樹脂で成形した角筒状の杆体の両端開口部に嵌着し、連結部材の片側に突設した連結用突片を隣り合う連結部材に形成した連結空間に挿入し、連結空間内に設けた係止ピンを連結用突片に設けた係止段付きの長孔に係止させて連結した構成のものがある。この構成の溝蓋をカーブする溝に被す時は、隣り合う連結部材の連結空間から連結用突片を引き出して係止ピンを長孔の係止段外側位置に係止させると、杆体間隔が広がり、係止ピンを長孔の係止段内側位置に係止させると、杆体間隔が狭まって溝のカーブに対応させるものである。（従来技術２）
【０００４】
【発明が解決しようとする課題】
ところで、上記する従来技術１のものは、弾性を有する軟質合成樹脂で成形した連結部材が、隣り合う杆体の中間部に配装され、そのＴ型係合部を杆体側面部に設けた係合溝に係合させた構成のため、溝蓋上を人が歩いたり走ったりすると、力の掛かる杆体が横に動いたり、捻回するような動きをして足下をふらつかせることがある。また、杆体間隔は、連結部材の筒状部の太さに左右されるため、曲率が小さくカーブする溝に適用すると、杆体間隔が不揃いになり易い。
【０００５】
また、上記する従来技術２のものは、組み立て段階で、角筒状に成形した杆体の両端開口部に、連結部材を嵌着しながら（填め込みながら）隣り合う連結部材の連結空間内で連結用突片の係止段付き長孔に係止ピンを挿入する作業を必要とするため、手間が掛かりコスト高になる。また、杆体間隔の調整は、２段階に行われて微調整ができず、しかも、各杆体間の間隔調整には、各連結部材個々に比較的強い力を掛けて係止段付き長孔内で係止ピンを移動させる作業を要する。
【０００６】
そこで、本発明の課題は、曲率の異なる広範囲のカーブする溝に簡単に適用できて取り扱い易く、また、杆体が横に動いたり、捻回するような動きがなく安定性に優れた溝蓋を提供することを目的としたものである。
【０００７】
【課題を解決するための手段】
上記目的を達成するために、本発明のうち請求項１記載の発明は、複数本の杆体を並列して中折れ状に伸縮する伸縮連結部材で連結し、杆体間隔を変更可能に構成したことを特徴とする。
【０００８】
ここで、杆体は木材や硬質合成樹脂からなるもので、特に、その断面形状について制限はないが、角形断面にするのが好ましい。また、伸縮連結部材で隣り合う杆体の上部両側を連結し、この伸縮連結部材は下向きに中折れしてこの状態を変化させて隣り合う杆体間の間隔を調整する。
【０００９】
従って、溝蓋をカーブする溝に被す時に、各杆体間の間隔は、溝のカーブの曲率に合わせて伸縮連結部材が伸縮して行われので、特別の操作は必要としない。また、この時に各杆体間の伸縮連結部材の伸縮量は自然に均等化されるので、外観も良く、曲率の異なる広範囲のカーブする溝に適用できる。
【００１０】
隣り合う杆体を連結部材で連結するのに、杆体長さがごく短尺なものを除いて、一般には、杆体の両端部をそれぞれに連結する。そこで、請求項２記載の発明のように、杆体の一方の端部を伸縮連結部材で連結するのが好ましい。
【００１１】
この場合の伸縮連結部材は、中折れ状態が中間付近で定常間隔とする。他方、杆体の他端部を連結する非伸縮性の連結部材は、杆体間隔を定常間隔とするので、この非伸縮性の連結部材が変形を伴わない状態では、伸縮連結部材とともに杆体間隔は自然に定常間隔に保持される。
【００１２】
従って、溝蓋をカーブする溝に被す時に、伸縮連結部材をカーブ内側方にするか、外側方にするかを選択し、伸縮連結部材をカーブ内側方にした時の各杆体間の間隔調整は、伸縮連結部材が縮小して行われ、また、伸縮連結部材をカーブ外側方にした時の各杆体間の間隔調整は、伸縮連結部材が伸展して行われる。この時に、他方の杆体端部を連結する非伸縮性の連結部材は、杆体間隔を定常間隔に保持したままでごく僅かに変形して各杆体間の間隔調整に対応する。こうして、溝蓋をカーブする溝に被す時に、杆体両方の端部で、各杆体間の連結部材は一様の変形を見せるので、杆体間隔が不揃いになることはない。
【００１３】
本発明をプールサイドの排水溝に適用する場合、排水溝の溝幅としては、一般に、２０〜３０cm程度であるので、杆体長さはこれに合わせて設定される。また、各杆体間の定常間隔としては、０．５〜１cm程度に設定される。
【００１４】
そして、連結部材（伸縮連結部材及び非伸縮性の連結部材）は、請求項３記載の発明のように、板状に形成し、この連結部材を、杆体の上部両側に設けた張出部下面に接合した構成とするのが好ましい。
【００１５】
このように構成すると、連結部材の端部上面を杆体の張出部下面に面接触させて接合できるので、この部分だけの接合で必要とされる充分な接合強度が得られる。また、杆体の上部両側には張出部が設けられて杆体上面の横幅が広がるので、人体足裏とのフイット性をよくなり、溝蓋上を人が裸足で歩いたり走ったりする時に、足裏に掛かる集中的な圧力が大幅に緩和される。
【００１６】
また、溝蓋の上を人が裸足で歩いたり走ったりされる溝蓋は、請求項４記載の発明のように、杆体両側の連結部材間に、杆体両側面から下面を取り巻く接地座を連設し、連結部材と接地座を弾性を有する軟質合成樹脂で一体成形した構成にするのが好ましい。
【００１７】
このように構成すると、溝蓋の直接的な接地面は、弾性を有する接地座になるので、溝蓋が人足で踏まれる際に、接地座の弾力的な変形によりクッション性を発揮し、足裏に掛かる衝撃的な圧力を緩和し、請求項３記載に係る発明の作用効果をより実効あるものにする。
【００１８】
また、上記するような溝蓋の場合、溝蓋が人足で踏まれる際の杆体の安定性を高めるために、請求項５記載の発明のように、杆体下面と接地座に凹凸条を設け、該凹凸条を杆体に掛かる外圧で圧接嵌合させて杆体の動きを規制するのがよい。
【００１９】
このように構成すると、溝蓋上を人が歩いたり走ったりして杆体に掛かる力が、たとえ、杆体を横に動かしたり、捻回させるような方向の力であったとしても、杆体下面は接地座に対し横ずれしないようにしっかり保持されるので、杆体が動いて溝蓋上の人の足下をふらつかせるようなことはない。
【００２０】
【発明の実施の形態】
以下、本発明の実施の形態を図面に従って説明する。
【００２１】
以下、本発明の実施の形態を図面に基づいて説明する。
【００２２】
図１は本発明の実施の形態を示す一部を切欠した溝蓋の斜視図、図２，３は本発明の使用態様を示す概略平面図、図４（ａ），（ｂ）は伸縮連結部材の伸縮を示す溝蓋の一部正面図である。
【００２３】
図１において、溝蓋１は、複数本の杆体２を並列させ、杆体２両端部をそれぞれ連結部材３，４で連結したもので、一方の杆体２端部を中折れ状に伸縮する伸縮連結部材３で連結し、他方の杆体２端部を非伸縮性の連結部材４で連結している。
【００２４】
杆体２は、上部両側に張出部５を設けて杆体上面を幅広にしたＴ字形断面をなす硬質合成樹脂製のもので、杆体上面には、滑り止め用の凹凸条６が設けられている。
【００２５】
連結部材３，４は、板状に形成した軟質合成樹脂製のもので、その端部を杆体２両側の張出部５下面に接合して杆体２を連結するが、杆体２両側の連結部材間には、杆体２の両側面から下面を取り巻く接地座７を一体に連設し、杆体下面とこの接地座７に、接地座７が弾性的に変形して圧接嵌合する凹凸条８を設けている。
【００２６】
前記杆体２と連結部材３，４との接合で、高周波溶接を可能ならしめるために、実施の形態では、杆体２の張出部５下面に、軟質合成樹脂からなる接着層９、例えば、杆体２に誘電体損失を効率高く発生する軟質塩化ビニール樹脂からなる接着層９を、あらかじめ設けている。また、連結部材３，４と接地座７は、高周波溶接を可能にした半硬質塩化ビニールで一体成形している。こうして連結部材３，４の端部を杆体２の張出部５下面に合接させて交流電場に置いた時に、樹脂の持つ永久双極子及び一次分極によって誘電体損失を発生し、合接した面が溶融溶着して接合が行われるもので、この部分の接合により、必要とされる充分な接合強度が得られる。
【００２７】
また、伸縮連結部材３は下向きに中折れ量を変化させて伸縮するもので、その実長は、他方の非伸縮性の連結部材４より長くするが、伸縮連結部材３は、中折れ状態が中間付近にある時（図１では中間付近を示している）に、杆体間の間隔を常態間隔、すなわち、他方の非伸縮性の連結部材４と同じ杆体間隔を採るようにしている。
【００２８】
上記構成において、図２，図３に示すように、プールサイド等の排水溝Ａの両壁上部には支持段Ｂが設けられ、溝蓋１の両端部をこの支持段Ｂに支持させて溝蓋１は溝Ａに被される。図示の溝Ａは直線溝部A1とカーブする溝部A2を連続させたものとなっている。
【００２９】
図２に示す実施の形態は、伸縮連結部材３をカーブ内側方にして溝Ａに溝蓋１を被す時を示すもので、カーブする溝部A2における各杆体間の間隔調整は、図４（ａ）に示すように、伸縮連結部材３が縮小して杆体間の常態間隔を狭めてカーブに対応する。また、図３に示す実施の形態は、伸縮連結部材３をカーブ外側方にして溝Ａに溝蓋１を被す時を示すもので、カーブする溝部A2における各杆体間の間隔調整は、図４（ｂ）に示すように、伸縮連結部材３が伸展して杆体間の常態間隔を広げてカーブに対応する。上記するような伸縮連結部材３の伸縮に対し、非伸縮性の連結部材４は、杆体間隔を定常間隔に保持したままでごく僅かに変形して各杆体間の間隔変化に対応する。なお、プールサイド等の排水溝に適用される溝蓋１の杆体間の定常間隔としては、０．５〜１cm程度に設定される。
【００３０】
また、プールサイド等の排水溝Ａに被した溝蓋１上を人が歩いたり走ったりする時に、人足で踏まれる杆体２は、これを取り巻く接地座７によってクッション性が発揮される。また、杆体下面と接地座７の凹凸条８の圧接嵌合により、杆体下面が横ずれを起さないようにしっかり保持され、溝蓋１上の人の足下をふらつかせるようなことはない。
【００３１】
【発明の効果】
本発明は、以上説明したような形態で実施され、本発明によれば、溝蓋をカーブする溝に被す時の杆体間隔の調整は、伸縮連結部材が中折れ状に伸縮して行われるので、溝蓋をカーブする溝に被すのに、特別の操作を必要とせず、取り扱いに便利である。また、各杆体間の間隔は、自然に溝のカーブの曲率に合った均等な広がりを見せるので、曲率の異なる広範囲のカーブする溝に適用できる。また、外観も良い。
【００３２】
また、本発明をプールサイド等の排水溝に適用して、溝蓋上を人が裸足で歩いたり走ったりする時に、接地座の弾力によりクッション性が発揮されて足裏に掛かる衝撃を緩和する。また、杆体下面と接地座を圧接状にしっかり保持するので、溝蓋上の人の足下をふらつかせるようなことがなく、安定性に優れたものである。
【図面の簡単な説明】
【図１】本発明の実施の形態を示す一部を切欠した溝蓋の斜視図である。
【図２】本発明の使用態様を示す概略平面図である。
【図３】本発明の使用態様を示す概略平面図である。
【図４】（ａ），（ｂ）は伸縮連結部材の伸縮を示す溝蓋の一部正面図である。
【符号の説明】
１  溝蓋
２  杆体
３  伸縮連結部材
４  非伸縮性の連結部材
５  張出部
６  滑り止め用凹凸条
７  接地座
８  凹凸条
９  接着層
Ａ  溝
A1  直線溝部
A2  カーブする溝部
【図１】
0004004645.tif 000002
【図２】
0004004645.tif 000003
【図３】
0004004645.tif 000004
【図４】
0004004645.tif 000005